(57)【要約】【課題】緊急通報の発信元の移動端末２０の近くに位置する移動端末２０のユーザに、緊急事態の発生を迅速に通知することができる緊急通報通知システム１０を提供する。【解決手段】本発明の緊急通報通知システム１０は、自局のサービスエリア１４内の移動端末２０から緊急通報を受けた移動端末２０が、自局のサービスエリア１４内の移動端末２０へ緊急通報をブロードキャストすると共に、隣接する移動端末２０に緊急通報をその移動端末２０のサービスエリア１４内の移動端末２０へブロードキャストさせる。【選択図】図１
2010193234.tif 000002
【特許請求の範囲】
【請求項１】
移動端末から当該移動端末の位置情報を含む緊急通報が送信された場合に、その旨を他の移動端末に通知する緊急通報通知システムであって、
複数の基地局を備え、
前記複数の基地局のそれぞれは、
隣接する他の基地局のアドレスを格納する基地局情報格納部と、
自局のサービスエリア内の移動端末から緊急通報を受信した場合に、当該緊急通報を自局のサービスエリア内の移動端末へブロードキャストにより配信すると共に、隣接する他の基地局のアドレスを前記基地局情報格納部から抽出し、受信した緊急通報を、抽出したアドレスに対応する他の基地局へ転送する第１の配信部と、
他の基地局から緊急通報を受信した場合に、当該緊急通報を自局のサービスエリア内の移動端末へブロードキャストにより配信する第２の配信部と
を備えることを特徴とする緊急通報通知システム。
【請求項２】
請求項１に記載の緊急通報通知システムであって、
地図情報を格納する地図情報格納部と、
基地局から緊急通報と共に基地局のアドレスを受信した場合に、当該緊急通報に含まれている位置情報が示す地点を含む地図情報を前記地図情報格納部から抽出し、抽出した地図情報内に位置情報が示す地点を記した通報者位置情報を作成し、作成した通報者位置情報を、受信したアドレスに対応する基地局へ送信する位置情報作成部と
を有する位置情報作成装置をさらに備え、
前記第１の配信部は、さらに、
自局のサービスエリア内の移動端末から緊急通報を受信した場合に、隣接する他の基地局のアドレスを前記基地局情報格納部から抽出し、抽出したアドレスに自局のアドレスを加えて、受信した緊急通報と共に前記位置情報作成装置へ送信し、
前記第２の配信部は、さらに、
前記位置情報作成装置から通報者位置情報を受信した場合に、当該通報者位置情報を自局のサービスエリア内の移動端末へブロードキャストにより配信することを特徴とする緊急通報通知システム。
【請求項３】
請求項２に記載の緊急通報通知システムであって、
前記位置情報作成部は、
通報者からの音声による緊急通報に応対したオペレータから入力された緊急通報の内容を指令台端末から受信し、受信した緊急通報の内容を、前記通報者位置情報にさらに含めて基地局へ送信することを特徴とする緊急通報通知システム。
【請求項４】
請求項１から３のいずれか一項に記載の緊急通報通知システムであって、
前記第１または第２の配信部は、
緊急通報または通報者位置情報を、暗号鍵を用いて暗号化して配信し、
緊急通報を受け取る移動端末は、
基地局の暗号鍵に対応する復号鍵を格納する復号鍵格納部と、
前記基地局から緊急通報または通報者位置情報が配信された場合に、復号鍵が前記復号鍵格納部に格納されているならば、当該復号鍵を用いて、配信された緊急通報または通報者位置情報を復号してユーザに通知するデータ復号部と
を有することを特徴とする緊急通報通知システム。
【請求項５】
移動端末から当該移動端末の位置情報を含む緊急通報が送信された場合に、その旨を他の移動端末に通知する緊急通報通知システムであって、
複数の基地局と、
位置情報作成装置と
を備え、
前記位置情報作成装置は、
地図情報を格納する地図情報格納部と、
基地局から緊急通報と共に基地局のアドレスを受信した場合に、当該緊急通報に含まれている位置情報が示す地点を含む地図情報を前記地図情報格納部から抽出し、抽出した地図情報内に位置情報が示す地点を記した通報者位置情報を作成し、作成した通報者位置情報を、受信したアドレスに対応する基地局へ送信する位置情報作成部と
を有し、
前記複数の基地局のそれぞれは、
隣接する他の基地局のアドレスを格納する基地局情報格納部と、
自局のサービスエリア内の移動端末から緊急通報を受信した場合に、隣接する他の基地局のアドレスを前記基地局情報格納部から抽出し、抽出したアドレスに自局のアドレスを加えて、受信した緊急通報と共に前記位置情報作成装置へ送信する緊急通報転送部と、
前記位置情報作成装置から通報者情報を受信した場合に、当該通報者情報を自局のサービスエリア内の移動端末へブロードキャストにより配信する配信部と
を備えることを特徴とする緊急通報通知システム。
【請求項６】
請求項５に記載の緊急通報通知システムであって、
前記位置情報作成部は、
通報者からの音声による緊急通報に応対したオペレータから入力された緊急通報の内容を指令台端末から受信し、受信した緊急通報の内容を、前記通報者位置情報にさらに含めた後に、作成した通報者位置情報を基地局へ送信することを特徴とする緊急通報通知システム。
【請求項７】
請求項５または６に記載の緊急通報通知システムであって、
前記配信部は、
前記位置情報作成装置から受信した通報者位置情報を、暗号鍵を用いて暗号化して自局のサービスエリア内の移動端末へ配信し、
緊急通報を受け取る移動端末は、
基地局の暗号鍵に対応する復号鍵を格納する復号鍵格納部と、
前記基地局から通報者位置情報が配信された場合に、復号鍵が前記復号鍵格納部に格納されているならば、当該復号鍵を用いて、配信された通報者位置情報を復号してユーザに通知するデータ復号部と
を有することを特徴とする緊急通報通知システム。
【発明の詳細な説明】
【技術分野】
【０００１】
本発明は、移動端末から当該移動端末の位置情報を含む緊急通報が送信された場合に、その旨を他の移動端末に通知する技術に関する。
【背景技術】
【０００２】
緊急通報があった場合には、迅速に通報者の場所に急行することが求められる。しかし、緊急通報には携帯電話が用いられることが多くなっており、通報者の位置を把握することが困難になっている。そこで、２００７年４月より、所定の機能を備えた携帯電話においては、緊急通報の際に通報者の位置情報を通知することが法律により義務付けられた。しかし、通報があってからでは、その担当者が現場から離れた場所にいる場合には、担当者が現場に到着するまでに時間がかかってしまう。
【０００３】
それを回避するための技術として、下記の特許文献１には、携帯端末から緊急通報を受け取った基地局が、自局のサービスエリア内の全携帯端末に、緊急情報をブロードキャストすることにより、緊急事態が発生した現場近くの携帯端末の保有者に緊急通報を通知するシステムが開示されている。これにより、通報者は、緊急事態により迅速に対処してもらうことができる。
【先行技術文献】
【特許文献】
【０００４】
【特許文献１】特開２００８−７７５６２号公報
【発明の概要】
【発明が解決しようとする課題】
【０００５】
しかし、上記特許文献１に開示されている技術では、同一基地局のサービスエリア内の携帯端末にしか緊急情報が通知されない。そのため、緊急通報を行った携帯端末が基地局のサービスエリアの端に位置している場合には、同一のサービスエリアにある他の携帯端末よりも、同一のサービスエリアの外であって、他の基地局のサービスエリア内にある携帯端末の方が、緊急通報を行った携帯端末から近い位置にある場合がある。
【０００６】
本発明は上記事情を鑑みてなされたものであり、本発明の目的は、緊急通報の発信元の携帯端末の近くに位置する携帯端末のユーザに、緊急事態の発生を迅速に通知することにある。
【課題を解決するための手段】
【０００７】
上記課題を解決するために本発明では、自局のサービスエリア内の移動端末から緊急通報を受けた基地局が、自局のサービスエリア内の移動端末へ緊急通報をブロードキャストすると共に、隣接する基地局に緊急通報をその基地局のサービスエリア内の移動端末へブロードキャストさせる。
【０００８】
例えば、本発明の第一の態様は、移動端末の位置情報を含む緊急通報を、他の移動端末に通知する緊急通報通知システムであって、
複数の基地局を備え、
前記複数の基地局のそれぞれは、
隣接する他の基地局のアドレスを格納する基地局情報格納部と、
自局のサービスエリア内の移動端末から緊急通報を受信した場合に、当該緊急通報を自局のサービスエリア内の移動端末へブロードキャストにより配信すると共に、隣接する他の基地局のアドレスを前記基地局情報格納部から抽出し、受信した緊急通報を、抽出したアドレスに対応する他の基地局へ転送する第１の配信部と、
他の基地局から緊急通報を受信した場合に、当該緊急通報を自局のサービスエリア内の移動端末へブロードキャストにより配信する第２の配信部と
を備えることを特徴とする緊急通報通知システムを提供する。
【０００９】
また、本発明の第二の態様は、移動端末の位置情報を含む緊急通報を、他の移動端末に通知する緊急通報通知システムであって、
複数の基地局と、
位置情報作成装置と
を備え、
前記位置情報作成装置は、
地図情報を格納する地図情報格納部と、
基地局から緊急通報と共に基地局のアドレスを受信した場合に、当該緊急通報に含まれている位置情報が示す地点を含む地図情報を前記地図情報格納部から抽出し、抽出した地図情報内に位置情報が示す地点を記した通報者位置情報を作成し、作成した通報者位置情報を、受信したアドレスに対応する基地局へ送信する位置情報作成部と
を有し、
前記複数の基地局のそれぞれは、
隣接する他の基地局のアドレスを格納する基地局情報格納部と、
自局のサービスエリア内の移動端末から緊急通報を受信した場合に、隣接する他の基地局のアドレスを前記基地局情報格納部から抽出し、抽出したアドレスに自局のアドレスを加えて、受信した緊急通報と共に前記位置情報作成装置へ送信する緊急通報転送部と、
前記位置情報作成装置から通報者情報を受信した場合に、当該通報者情報を自局のサービスエリア内の移動端末へブロードキャストにより配信する配信部と
を備えることを特徴とする緊急通報通知システム提供する。
【発明の効果】
【００１０】
本発明の緊急通報通知システムによれば、緊急通報の発信元の移動端末の近くに位置する移動端末のユーザに、緊急事態の発生を迅速に通知することができる。
【図面の簡単な説明】
【００１１】
【図１】本発明の一実施形態に係る緊急通報通知システム１０の一例を示すシステム構成図である。
【図２】ブロードキャスト管理装置５０の機能構成の一例を示すブロック図である。
【図３】鍵情報格納部５２に格納されるデータの構造の一例を示す図である。
【図４】移動端末２０の機能構成の一例を示すブロック図である。
【図５】復号鍵格納部２０２に格納されるデータの構造の一例を示す図である。
【図６】緊急通報６０および緊急情報６１のデータの構造の一例を示す図である。
【図７】第１の実施形態における基地局３０の機能構成の一例を示すブロック図である。
【図８】基地局情報格納部３５に格納されるデータの構造の一例を示す図である。
【図９】位置情報作成装置４０の機能構成の一例を示すブロック図である。
【図１０】メッセージ格納部４１に格納されるデータの構造の一例を示す図である。
【図１１】地図情報格納部４３に格納されるデータの構造の一例を示す図である。
【図１２】緊急通報６２および通報内容６３のデータの構造の一例を示す図である。
【図１３】通報者位置情報７０の一例を示す図である。
【図１４】復号鍵の取得処理の一例を示すシーケンス図である。
【図１５】第１の実施形態における緊急通報通知処理の一例を示すシーケンス図である。
【図１６】第１の実施形態における緊急通報通知処理の一例を示すシーケンス図である。
【図１７】第２の実施形態における基地局３０の機能構成の一例を示すブロック図である。
【図１８】第２の実施形態における緊急通報通知処理の一例を示すシーケンス図である。
【発明を実施するための形態】
【００１２】
まず、本発明の第１の実施形態について説明する。
【００１３】
図１は、本発明の一実施形態に係る緊急通報通知システム１０の一例を示すシステム構成図である。緊急通報通知システム１０は、複数の基地局３０および位置情報作成装置４０を備える。
【００１４】
本実施形態における移動端末２０は、測位衛星からのＧＰＳ（Global Positioning System）信号に基づいて移動端末２０の位置（緯度および経度）を算出する機能を有しており、ユーザが音声通話により緊急通報を行った場合に、移動端末２０の位置を算出し、算出した位置を示す情報を含む緊急通報をデータ通信により基地局３０へ送信する。なお、本明細書において、緊急通報とは、特に示す場合を除きデータ通信による緊急通報を指す。
【００１５】
また、移動端末２０は、基地局３０を介してブロードキャスト管理装置５０と通信して、緊急通報の通知サービスに対応する復号鍵をブロードキャスト管理装置５０から予め取得して保持している。そして、移動端末２０は、基地局３０から、緊急通報の通知サービスに対応する、暗号化されたデータを受信した場合に、保持している復号鍵を用いて受信したデータを復号し、緊急通報に関する情報をユーザに通知する。
【００１６】
指令台端末１２は、オペレータ１３によって操作され、移動端末２０からの音声による緊急通報をオペレータ１３に通知する。また、指令台端末１２は、オペレータ１３が通報者から聞き出した通報の内容をオペレータ１３から受け付けて、通信回線１１を介して位置情報作成装置４０へ送信する。
【００１７】
位置情報作成装置４０は、通信回線１１を介して基地局３０から、通報者の移動端末２０の位置情報、および、複数の基地局のアドレスを含む緊急通報を受信した場合に、当該位置情報で示される地点が記された地図データを作成する。そして、位置情報作成装置４０は、指令台端末１２から受信した通報の内容を、作成した地図データに追記して通報者位置情報を作成し、作成した通報者位置情報を、緊急通報に含まれているアドレスに対応する基地局へ送信する。
【００１８】
ブロードキャスト管理装置５０は、ブロードキャストにより配信されるサービス毎に、暗号鍵および復号鍵を保持しており、移動端末２０や基地局３０からの要求に応じて暗号鍵または復号鍵を提供する。
【００１９】
基地局３０は、移動端末２０と無線通信を行い、移動端末２０の通信を通信回線１１を介して他の装置に中継する。また、基地局３０は、自局のサービスエリア１４内の移動端末２０からデータ通信による緊急通報を受信した場合に、通信回線１１を介してブロードキャスト管理装置５０から、緊急通報の通知サービスに対応する暗号鍵を取得する。そして、基地局３０は、取得した暗号鍵を用いて、受信した緊急通報を暗号化し、暗号化したデータを、自局のサービスエリア１４内の移動端末２０にブロードキャストにより配信する。
【００２０】
また、移動端末２０から緊急通報を受信した基地局３０は、受信した緊急通報を、隣接する他の基地局３０へ通信回線１１を介して転送する。通信回線１１を介して他の基地局３０から緊急通報を受信した基地局３０は、通信回線１１を介してブロードキャスト管理装置５０から、緊急通報の通知サービスに対応する暗号鍵を取得し、取得した暗号鍵を用いて、受信した緊急通報を暗号化して、自局のサービスエリア１４内の移動端末２０にブロードキャストにより配信する。
【００２１】
また、移動端末２０から緊急通報を受信した基地局３０は、受信した緊急通報に、自局および隣接する他の基地局３０のアドレスを含めて通信回線１１を介して位置情報作成装置４０へ送信する。そして、位置情報作成装置４０から通報者位置情報を受信した場合、基地局３０は、通信回線１１を介してブロードキャスト管理装置５０から、緊急通報の通知サービスに対応する暗号鍵を取得し、取得した暗号鍵を用いて、受信した通報者位置情報を暗号化して、自局のサービスエリア１４内の移動端末２０にブロードキャストにより配信する。
【００２２】
これにより、例えば図１において、移動端末２０ｂが緊急情報を発信した場合に、同一の基地局３０Ｂのサービスエリア１４Ｂ内だけでなく、隣接する基地局３０Ａのサービスエリア１４Ａ内の移動端末２０ａに対しても緊急通報および通報者位置情報を通知することができる。そのため、移動端末２０ｂが属する基地局３０Ｂとは異なる基地局３０Ａのサービスエリア１４Ａ内にあるが、移動端末２０ｃよりも移動端末２０ｂの近くにある移動端末２０ａに対しても緊急通報および通報者位置情報を通知することができる。
【００２３】
次に、それぞれの装置について、その機能構成を詳しく説明する。図２は、ブロードキャスト管理装置５０の機能構成の一例を示すブロック図である。ブロードキャスト管理装置５０は、鍵情報提供部５１および鍵情報格納部５２を有する。
【００２４】
鍵情報格納部５２には、例えば図３に示すように、ブロードキャストにより配信されるそれぞれのサービスを識別するサービスＩＤ５２０に対応付けて、当該サービスにおいて配信されるデータを暗号化するための暗号鍵５２１、および、暗号鍵５２１によって暗号化されたデータを復号化するための復号鍵５２２が予め格納されている。
【００２５】
鍵情報提供部５１は、通信回線１１を介して移動端末２０から、サービスＩＤを含む復号鍵要求を受信した場合に、当該移動端末２０との間で認証を行い、当該サービスＩＤに対応するサービスの提供が許可された移動端末２０であるか否かを判定する。サービスの提供が許可された移動端末２０である場合、鍵情報提供部５１は、当該サービスのサービスＩＤに対応する復号鍵を鍵情報格納部５２から抽出して、復号鍵要求の送信元の移動端末２０に提供する。また、鍵情報提供部５１は、通信回線１１を介して基地局３０から、サービスＩＤを含む暗号鍵要求を受信した場合に、当該サービスＩＤに対応する暗号鍵を鍵情報格納部５２から抽出して提供する。
【００２６】
図４は、移動端末２０の機能構成の一例を示すブロック図である。移動端末２０は、緊急通報発信部２００、ＧＰＳ受信部２０１、復号鍵格納部２０２、復号鍵取得部２０３、無線通信部２０４、データ復号部２０５、通信処理部２０６、入力装置２０７、出力装置２０８、アンテナ２０９、およびアンテナ２１０を有する。
【００２７】
復号鍵格納部２０２には、例えば図５に示すように、ブロードキャストにより配信されるそれぞれのサービスを識別するサービスＩＤ２０２０に対応付けて、当該サービスにおいて配信されるデータを復号化するための復号鍵２０２１が格納される。
【００２８】
無線通信部２０４は、アンテナ２１０を介して無線通信により基地局３０との間に無線通信路を確立する。そして、無線通信部２０４は、緊急通報発信部２００、復号鍵取得部２０３、または通信処理部２０６からの信号を、アンテナ２１０を介して基地局３０へ送信し、アンテナ２１０を介して基地局３０から受信した信号を、復号鍵取得部２０３、データ復号部２０５、または通信処理部２０６へ送る。
【００２９】
通信処理部２０６は、キーパッド等の入力装置２０７を介したユーザの操作に従って、無線通信部２０４を介して、データ通信による緊急通報以外の音声通信またはデータ通信を行う。ＧＰＳ受信部２０１は、測地衛星からのＧＰＳ信号をアンテナ２０９を介して受信し、受信したＧＰＳ信号から移動端末２０の緯度および経度を示す位置情報を算出して緊急通報発信部２００に供給する。
【００３０】
復号鍵取得部２０３は、入力装置２０７を介してユーザからサービスＩＤを受け付けた場合に、受け付けたサービスＩＤを含む復号鍵要求を作成する。そして、復号鍵取得部２０３は、作成した復号鍵要求を、無線通信部２０４を介してブロードキャスト管理装置５０へ送信してブロードキャスト管理装置５０との間で認証処理を行う。認証が成功した場合、復号鍵取得部２０３は、ブロードキャスト管理装置５０から提供された復号鍵を、ユーザから入力されたサービスＩＤに対応付けて復号鍵格納部２０２に格納する。
【００３１】
緊急通報発信部２００は、ユーザが入力装置２０７を操作して音声による緊急通報を発信した場合に、例えば図６（ａ）に示すような、緊急フラグ６００、移動端末２０の電話番号６０１、およびＧＰＳ受信部２０１から供給された位置情報６０２を含む緊急通報６０を作成する。そして、緊急通報発信部２００は、作成した緊急通報６０を、無線通信部２０４を介して基地局３０へ送信する。
【００３２】
データ復号部２０５は、無線通信部２０４を介して、例えば図６（ｂ）に示すような、サービスＩＤ６１０および暗号化されたデータ６１１を含む緊急情報６１を受信した場合に、サービスＩＤ６１０に対応する復号鍵が復号鍵格納部２０２内に格納されていれば、当該暗号鍵を復号鍵格納部２０２から抽出する。そして、データ復号部２０５は、抽出した復号鍵を用いて暗号化されたデータ６１１を復号し、復号したデータをディスプレイ等の出力装置２０８に表示する。
【００３３】
なお、データ復号部２０５は、移動端末２０の現在位置から、緊急情報に含まれている位置情報が示す地点までの距離や方向をディスプレイに表示するようにしてもよい。また、移動端末２０が住所データや簡易な地図データを有している場合、データ復号部２０５は、緊急情報に含まれている位置情報が示す地点の住所や、当該地点を記した地図をディスプレイに表示するようにしてもよい。
【００３４】
図７は、第１の実施形態における基地局３０の機能構成の一例を示すブロック図である。基地局３０は、無線通信部３１、データ中継部３２、第２の配信部３３、第１の配信部３４、基地局情報格納部３５、およびアンテナ３６を有する。
【００３５】
基地局情報格納部３５には、例えば図８に示すように、自局に隣接する他の基地局３０のそれぞれを識別する基地局ＩＤ３５０に対応付けて、当該基地局３０のアドレス３５１が予め格納されている。本実施形態においてアドレス３５１の欄には、例えば基地局３０のＩＰアドレスが格納される。
【００３６】
無線通信部３１は、アンテナ３６を介して無線通信により移動端末２０との間に無線通信路を確立する。そして、無線通信部３１は、データ中継部３２、第２の配信部３３、または第１の配信部３４からの信号を、アンテナ３６を介して移動端末２０へ送信し、アンテナ３６を介して移動端末２０から受信した信号を、データ中継部３２または第１の配信部３４へ送る。
【００３７】
データ中継部３２は、無線通信部３１を介して移動端末２０から受信した、データ通信による緊急通報以外のデータを、通信回線１１を介して所定の宛先へ中継すると共に、通信回線１１を介して受信した緊急通報または通報者位置情報以外のデータを、無線通信部３１を介して移動端末２０へ中継する。
【００３８】
第１の配信部３４は、無線通信部３１を介して移動端末２０から緊急通報を受信した場合に、緊急情報の通知サービスに対応するサービスＩＤを含む暗号鍵要求を通信回線１１を介してブロードキャスト管理装置５０へ送信する。そして、第１の配信部３４は、ブロードキャスト管理装置５０から暗号鍵を受信し、受信した暗号鍵を用いて、移動端末２０から受信した緊急通報を暗号化する。そして、第１の配信部３４は、暗号化したデータと緊急情報の通知サービスに対応するサービスＩＤとを含む緊急情報を作成し、作成した緊急情報を、無線通信部３１を介して自局のサービスエリア１４内の移動端末２０へブロードキャストにより配信する。
【００３９】
このように、緊急通報を暗号化してブロードキャストするため、当該緊急通報は、予め対応する復号鍵を有している移動端末２０ののみが復号することができる。そのため、医療関係者等、特定の関係者の移動端末２０に緊急通報を復号させることができ、緊急事態が発生した現場の混乱や、野次馬が集まるような事態を防止することができる。
【００４０】
また、第１の配信部３４は、移動端末２０から緊急通報を受信した場合に、隣接する他の基地局のアドレスを基地局情報格納部３５から抽出し、移動端末２０から受信した緊急通報を、抽出したアドレスに対応する他の基地局３０へ通信回線１１を介して転送する。また、第１の配信部３４は、抽出したアドレスに自局のアドレスを加えて、移動端末２０から受信した緊急通報に、自局および隣接基地局３０のアドレスを追加して通信回線１１を介して位置情報作成装置４０へ送信する。
【００４１】
第２の配信部３３は、通信回線１１を介して他の基地局３０から緊急通報を受信した場合に、緊急情報の通知サービスに対応するサービスＩＤを含む暗号鍵要求を通信回線１１を介してブロードキャスト管理装置５０へ送信する。そして、第２の配信部３３は、ブロードキャスト管理装置５０から暗号鍵を受信し、受信した暗号鍵を用いて、他の基地局３０から受信した緊急通報を暗号化する。そして、第２の配信部３３は、暗号化したデータと緊急情報の通知サービスに対応するサービスＩＤとを含む緊急情報を作成し、作成した緊急情報を、無線通信部３１を介して自局のサービスエリア１４内の移動端末２０へブロードキャストにより配信する。
【００４２】
このように、基地局３０は、移動端末２０から受信した緊急通報を暗号化して自局および隣接する他の基地局３０のサービスエリア内にブロードキャストする。これにより、移動端末２０は、緊急通報の発生を迅速に所定のユーザに通知することができる。そのため、その時点で通報者の位置がわかる場合には、ユーザは、緊急通報の詳細がその後に配信されるのを待つこと無く、より迅速に現場に急行することができる。また、これにより、ユーザは、何らかの作業中である場合に、その作業を中断して（運転中である場合には車を路肩に寄せて）、続いて配信される緊急通報の詳細を受け取るために待機することができる。
【００４３】
また、第２の配信部３３は、通信回線１１を介して位置情報作成装置４０から通報者位置情報を受信した場合に、緊急情報の通知サービスに対応するサービスＩＤを含む暗号鍵要求を通信回線１１を介してブロードキャスト管理装置５０へ送信する。そして、第２の配信部３３は、ブロードキャスト管理装置５０から暗号鍵を受信し、受信した暗号鍵を用いて、位置情報作成装置４０から受信した通報者位置情報を暗号化する。そして、第２の配信部３３は、暗号化したデータと緊急情報の通知サービスに対応するサービスＩＤとを含む緊急情報を作成し、作成した緊急情報を、無線通信部３１を介して自局のサービスエリア１４内の移動端末２０へブロードキャストにより配信する。
【００４４】
図９は、位置情報作成装置４０の機能構成の一例を示すブロック図である。位置情報作成装置４０は、メッセージ格納部４１、位置情報作成部４２、および地図情報格納部４３を有する。
【００４５】
メッセージ格納部４１には、例えば図１０に示すように、それぞれのメッセージを識別するメッセージＩＤ４１０に対応付けて、メッセージ４１１が予め格納されている。なお、所定のメッセージＩＤ４１０（図１０の例では「Ｍ０００」）は、オペレータにより任意に入力されるメッセージに割り当てられる。
【００４６】
地図情報格納部４３には、例えば図１１に示すように、地図を所定の大きさ毎に区切った矩形の領域データの１つの頂点（例えば左上の頂点）の座標である第１座標４３０、および、第１座標４３０に対向する他の頂点（例えば右下の頂点）の座標である第２座標４３１に対応付けて、当該矩形領域の地図データ４３２が予め格納されている。
【００４７】
位置情報作成部４２は、通信回線１１を介して基地局３０から、例えば図１２（ａ）に示すような、緊急フラグ６２０、緊急通報を行った移動端末２０の電話番号６２１、当該移動端末２０の位置情報６２２、ならびに、当該移動端末２０から緊急通報を受け取った基地局３０および当該基地局３０に隣接する基地局３０のアドレス６２３を含む緊急通報６２を受信した場合に、当該位置情報６２２に基づいて地図情報格納部４３内の第１および第２の座標を参照し、当該位置情報６２２に示された地点を含む矩形領域の地図データを地図データ４３２から抽出する。
【００４８】
そして、位置情報作成部４２は、位置情報に示された地点を含む地図データを中心として、当該地図データの周辺の地図データを所定数（例えば８枚）抽出し、抽出した地図データを合成して１つの地図データを作成する。そして、位置情報作成部４２は、作成した地図データに、位置情報に示された地点を示す図形を追加する。
【００４９】
次に、位置情報作成部４２は、通信回線１１を介して指令台端末１２から、例えば図１２（ｂ）に示すような、通報を行った移動端末２０の電話番号６３０、および、通報者位置情報に記載するメッセージのメッセージＩＤ６３１を含む通報内容６３を受信した場合に、当該メッセージＩＤ６３１に対応するメッセージをメッセージ格納部４１から抽出する。
【００５０】
なお、メッセージＩＤ６３１に任意のメッセージに対応するメッセージＩＤ（例えば「Ｍ０００」）が格納されている場合、通報内容６３には、指令台端末１２のオペレータによって入力されたメッセージデータ６３２が格納される。また、緊急通報が間違いであったり、いたずらであった場合には、オペレータは、その旨をメッセージとして含む通報内容６３を、指令台端末１２を介して位置情報作成装置４０へ送信する。
【００５１】
次に、位置情報作成部４２は、通報者の電話番号が同一のものについて、抽出したメッセージを、位置情報を追加した地図データに合成して、例えば図１３に示すような通報者位置情報７０を作成し、作成した通報者位置情報７０を、基地局３０から受信した緊急通報に含まれているアドレスに対応する基地局３０へ、通信回線１１を介して送信する。図１３に示した通報者位置情報７０において、領域７１には、通報を行った移動端末２０の位置を示す図形７３が記された地図が表示され、領域７２には、通報者からの情報に基づいてオペレータが選択または入力したメッセージが表示される。
【００５２】
次に、緊急通報通知システム１０全体の動作について説明する。図１４は、復号鍵の取得処理の一例を示すシーケンス図である。
【００５３】
まず、移動端末２０は、ユーザから受け付けたサービスＩＤを含む復号鍵要求を作成して基地局３０へ送信する（Ｓ１００）。基地局３０は、受信した復号鍵要求をブロードキャスト管理装置５０へ転送する（Ｓ１０１）。ブロードキャスト管理装置５０は、移動端末２０との間で認証を行い、当該復号鍵要求に含まれているサービスＩＤに対応するサービスの提供が許可されているか否かを判定する（Ｓ１０２）。
【００５４】
サービスの提供が許可されている場合、ブロードキャスト管理装置５０は、復号鍵要求に含まれているサービスＩＤに対応する復号鍵を基地局３０を介して移動端末２０へ提供する（Ｓ１０３、Ｓ１０４）。移動端末２０は、受信した復号鍵を復号鍵格納部２０２に保存する（Ｓ１０５）。
【００５５】
図１５および図１６は、第１の実施形態における緊急通報通知処理の一例を示すシーケンス図である。なお、本シーケンス図では、図１に示すように、移動端末２０ａは基地局３０Ａのサービスエリア１４Ａ内に位置すると共に基地局３０Ａに帰属しており、移動端末２０ｂおよびｃは基地局３０Ｂのサービスエリア１４Ｂ内に位置すると共に基地局３０Ｂに帰属しているものとする。
【００５６】
まず、移動端末２０ｂは、通報者の操作に従って基地局３０Ｂを介して指令台端末１２へ音声による緊急通報を行う（Ｓ２００、Ｓ２０１）。そして、オペレータは、指令台端末１２を介して、通報者からの緊急通報に音声により応対する（Ｓ２０２）。その間に、移動端末２０ｂは、図６（ａ）に示した緊急通報６０を作成して基地局３０Ｂへ送信する（Ｓ２０３）。
【００５７】
次に、基地局３０Ｂは、緊急情報の通知サービスに対応するサービスＩＤを含む暗号鍵要求をブロードキャスト管理装置５０へ送信する（Ｓ２０４）。ブロードキャスト管理装置５０は、受信した暗号鍵要求に含まれているサービスＩＤに対応する暗号鍵を鍵情報格納部５２から抽出して基地局３０Ｂへ送信する（Ｓ２０５）。そして、基地局３０Ｂは、ブロードキャスト管理装置５０から受信した暗号鍵を用いて、移動端末２０から受信した緊急通報を暗号化する（Ｓ２０６）。
【００５８】
次に、基地局３０Ｂは、暗号化したデータと緊急情報の通知サービスに対応するサービスＩＤとを含む緊急情報を作成し、作成した緊急情報を、自局のサービスエリア１４内の移動端末２０へブロードキャストにより配信する（Ｓ２０７）。移動端末２０ｃは、受信した緊急情報に含まれているサービスＩＤに対応する復号鍵を有していれば、当該暗号鍵を用いて緊急情報内のデータを復号し（Ｓ２０８）、復号したデータをディスプレイに表示する等により、緊急通報の発生をユーザに通知する（Ｓ２０９）。
【００５９】
また、基地局３０Ｂは、隣接する他の基地局のアドレスを基地局情報格納部３５から抽出し（Ｓ２１０）、移動端末２０から受信した緊急通報を、抽出したアドレスに対応する他の基地局３０Ａへ転送する（Ｓ２１１）。基地局３０Ａは、緊急情報の通知サービスに対応するサービスＩＤを含む暗号鍵要求をブロードキャスト管理装置５０へ送信する（Ｓ２１２）。ブロードキャスト管理装置５０は、受信した暗号鍵要求に含まれているサービスＩＤに対応する暗号鍵を鍵情報格納部５２から抽出して基地局３０Ａへ送信する（Ｓ２１３）。
【００６０】
基地局３０Ａは、ブロードキャスト管理装置５０から受信した暗号鍵を用いて、移動端末２０から受信した緊急通報を暗号化し（Ｓ２１４）、暗号化したデータと緊急情報の通知サービスに対応するサービスＩＤとを含む緊急情報を、自局のサービスエリア１４内の移動端末２０へブロードキャストにより配信する（Ｓ２１５）。移動端末２０ａは、受信した緊急情報に含まれているサービスＩＤに対応する復号鍵を有していれば、当該暗号鍵を用いて緊急情報内のデータを復号し（Ｓ２１６）、復号したデータをディスプレイに表示する等により、緊急通報の発生をユーザに通知する（Ｓ２１７）。
【００６１】
また、基地局３０Ｂは、ステップＳ２１０において抽出したアドレスに自局のアドレスを加えて、移動端末２０から受信した緊急通報に、自局および隣接基地局３０のアドレスを追加して位置情報作成装置４０へ送信する（図１６のＳ２１８）。位置情報作成装置４０は、受信した緊急通報に含まれている位置情報に対応する地点を含む地図データを作成し、作成した地図データに通報者の位置を示す図形を追加する（Ｓ２１９）。
【００６２】
次に、オペレータは、ステップＳ２０２において通報者から聞き出した情報をもとに通報内容を作成し、作成した通報内容を指令台端末１２を介して位置情報作成装置４０へ送信する（Ｓ２２０）。位置情報作成装置４０は、指令台端末１２から受信した通報内容に含まれているメッセージＩＤに対応するメッセージをメッセージ格納部４１から抽出し、抽出したメッセージを、位置情報を追加した地図データに合成して通報者位置情報を作成する（Ｓ２２１）。そして、位置情報作成装置４０は、作成した通報者位置情報を、ステップＳ２１８で受信した緊急通報に含まれているアドレスに対応する基地局３０ＡおよびＢへ送信する（Ｓ２２２）。
【００６３】
次に、基地局３０Ｂは、ステップＳ２０５において取得した暗号鍵を用いて、通報者位置情報を暗号化し（Ｓ２２３）、暗号化したデータと緊急情報の通知サービスに対応するサービスＩＤとを含む緊急情報を作成し、作成した緊急情報を、自局のサービスエリア１４Ｂ内にブロードキャストにより配信する（Ｓ２２４）。移動端末２０ｃは、受信した緊急情報に含まれているサービスＩＤに対応する復号鍵を有していれば、当該暗号鍵を用いて緊急情報内のデータを復号し（Ｓ２２５）、復号したデータをディスプレイに表示する等により、緊急通報の詳細をユーザに通知する（Ｓ２２６）。
【００６４】
基地局３０Ａも同様に、ステップＳ２１３において取得した暗号鍵を用いて、通報者位置情報を暗号化し（Ｓ２２７）、暗号化したデータと緊急情報の通知サービスに対応するサービスＩＤとを含む緊急情報を作成し、作成した緊急情報を、自局のサービスエリア１４Ａ内にブロードキャストにより配信する（Ｓ２２８）。移動端末２０ａは、受信した緊急情報に含まれているサービスＩＤに対応する復号鍵を有していれば、当該暗号鍵を用いて緊急情報内のデータを復号し（Ｓ２２９）、復号したデータをディスプレイに表示する等により、緊急通報の詳細をユーザに通知する（Ｓ２３０）。
【００６５】
以上、本発明の第１の実施形態について説明した。
【００６６】
上記説明から明らかなように、本実施形態の緊急通報通知システム１０によれば、緊急通報の発信元の移動端末２０の近くに位置する移動端末２０のユーザに、緊急事態の発生を迅速に通知することができる。
【００６７】
次に、本発明の第２の実施形態について説明する。
【００６８】
図１７は、第２の実施形態における基地局３０の機能構成の一例を示すブロック図である。本実施形態の基地局３０は、無線通信部３１、データ中継部３２、基地局情報格納部３５、アンテナ３６、配信部３７、および緊急通報転送部３８を有する。なお、以下に説明する点を除き、図１７において、図７と同じ符号を付した構成は、図７における構成と同一または同様の機能を有するため説明を省略する。
【００６９】
緊急通報転送部３８は、無線通信部３１を介して移動端末２０から緊急通報を受信した場合に、隣接する他の基地局のアドレスを基地局情報格納部３５から抽出し、移動端末２０から受信した緊急通報に、抽出したアドレスおよび自局のアドレスを加えて、通信回線１１を介して位置情報作成装置４０へ送信する。
【００７０】
配信部３７は、通信回線１１を介して位置情報作成装置４０から通報者位置情報を受信した場合に、緊急情報の通知サービスに対応するサービスＩＤを含む暗号鍵要求を通信回線１１を介してブロードキャスト管理装置５０へ送信する。そして、配信部３７は、ブロードキャスト管理装置５０から暗号鍵を受信し、受信した暗号鍵を用いて、位置情報作成装置４０から受信した通報者位置情報を暗号化する。そして、配信部３７は、暗号化したデータと緊急情報の通知サービスに対応するサービスＩＤとを含む緊急情報を作成し、作成した緊急情報を、無線通信部３１を介して自局のサービスエリア１４内の移動端末２０へブロードキャストにより配信する。
【００７１】
図１８は、第２の実施形態における緊急通報通知処理の一例を示すシーケンス図である。なお、本シーケンス図においても、図１に示すように、移動端末２０ａは基地局３０Ａのサービスエリア１４Ａ内に位置すると共に基地局３０Ａに帰属しており、移動端末２０ｂおよびｃは基地局３０Ｂのサービスエリア１４Ｂ内に位置すると共に基地局３０Ｂに帰属しているものとする。
【００７２】
まず、移動端末２０ｂは、通報者の操作に従って基地局３０Ｂを介して指令台端末１２へ音声による緊急通報を行う（Ｓ３００、Ｓ３０１）。そして、オペレータは、指令台端末１２を介して、通報者からの緊急通報に音声により応対する（Ｓ３０２）。その間に、移動端末２０ｂは、図６（ａ）に示した緊急通報６０を作成して基地局３０Ｂへ送信する（Ｓ３０３）。
【００７３】
基地局３０Ｂは、隣接する他の基地局のアドレスを基地局情報格納部３５から抽出し（Ｓ３０４）、抽出したアドレスおよび自局のアドレスを、移動端末２０から受信した緊急通報に追加して位置情報作成装置４０へ送信する（Ｓ３０５）。位置情報作成装置４０は、受信した緊急通報に含まれている位置情報に対応する地点を含む地図データを作成し、作成した地図データに通報者の位置を示す図形を追加する（Ｓ３０６）。
【００７４】
次に、オペレータは、ステップＳ３０２において通報者から聞き出した情報をもとに通報内容を作成し、作成した通報内容を指令台端末１２を介して位置情報作成装置４０へ送信する（Ｓ３０７）。位置情報作成装置４０は、指令台端末１２から受信した通報内容に含まれているメッセージＩＤに対応するメッセージをメッセージ格納部４１から抽出し、抽出したメッセージを、位置情報を追加した地図データに合成して通報者位置情報を作成する（Ｓ３０８）。そして、位置情報作成装置４０は、作成した通報者位置情報を、ステップＳ３０５で受信した緊急通報に含まれているアドレスに対応する基地局３０ＡおよびＢへ送信する（Ｓ３０９）。
【００７５】
次に、基地局３０Ｂは、緊急情報の通知サービスに対応するサービスＩＤを含む暗号鍵要求をブロードキャスト管理装置５０へ送信する（Ｓ３１０）。ブロードキャスト管理装置５０は、受信した暗号鍵要求に含まれているサービスＩＤに対応する暗号鍵を鍵情報格納部５２から抽出して基地局３０Ｂへ送信する（Ｓ３１１）。そして、基地局３０Ｂは、ブロードキャスト管理装置５０から受信した暗号鍵を用いて、位置情報作成装置４０から受信した通報者位置情報を暗号化する（Ｓ３１２）。
【００７６】
そして、基地局３０Ｂは、暗号化したデータと緊急情報の通知サービスに対応するサービスＩＤとを含む緊急情報を作成し、作成した緊急情報を、自局のサービスエリア１４Ｂ内にブロードキャストにより配信する（Ｓ３１３）。移動端末２０ｃは、受信した緊急情報に含まれているサービスＩＤに対応する復号鍵を有していれば、当該暗号鍵を用いて緊急情報内のデータを復号し（Ｓ３１４）、復号したデータをディスプレイに表示する等により、緊急事態の発生および緊急通報の詳細をユーザに通知する（Ｓ３１５）。
【００７７】
基地局３０Ａも同様に、緊急情報の通知サービスに対応するサービスＩＤを含む暗号鍵要求をブロードキャスト管理装置５０へ送信する（Ｓ３１６）。ブロードキャスト管理装置５０は、受信した暗号鍵要求に含まれているサービスＩＤに対応する暗号鍵を鍵情報格納部５２から抽出して基地局３０Ａへ送信する（Ｓ３１７）。そして、基地局３０Ａは、ブロードキャスト管理装置５０から受信した暗号鍵を用いて、位置情報作成装置４０から受信した通報者位置情報を暗号化する（Ｓ３１８）。
【００７８】
そして、基地局３０Ａは、暗号化したデータと緊急情報の通知サービスに対応するサービスＩＤとを含む緊急情報を作成し、作成した緊急情報を、自局のサービスエリア１４Ａ内にブロードキャストにより配信する（Ｓ３１９）。移動端末２０ａは、受信した緊急情報に含まれているサービスＩＤに対応する復号鍵を有していれば、当該暗号鍵を用いて緊急情報内のデータを復号し（Ｓ３２０）、復号したデータをディスプレイに表示する等により、緊急通報の詳細をユーザに通知する（Ｓ３２１）。
【００７９】
以上、本発明の第２の実施形態について説明した。
【００８０】
上記説明から明らかなように、本実施形態の緊急通報通知システム１０においても、緊急通報の発信元の移動端末２０の近くに位置する移動端末２０のユーザに、緊急事態の発生を迅速に通知することができる。また、本実施形態の緊急通報通知システム１０によれば、オペレータから通報内容が送信されるまで、位置情報作成装置４０は各基地局３０に通報者位置情報を送信しない。そのため、誤った緊急通報の発信やいたずら目的の緊急通報が他の移動端末２０に通知されることを防止することができる。
【００８１】
なお、本発明は、上記した実施形態に限定されるものではなく、その要旨の範囲内で数々の変形が可能である。
【００８２】
例えば、上記した各実施形態において、基地局３０は、緊急通報および通報者位置情報を暗号化して配信したが、本発明はこれに限られず、基地局３０は、これらの情報を暗号化せずに配信してもよい。これにより、どのユーザの移動端末２０でも、受信した緊急通報または通報者位置情報をユーザに通知することができるため、例えば、ユーザが医療関係者でない場合であっても、医療関係者が到着するまでの間に応急処置等を行うことができる。
【符号の説明】
【００８３】
１０・・・緊急通報通知システム、１１・・・通信回線、１２・・・指令台端末、１３・・・オペレータ、１４・・・サービスエリア、２０・・・移動端末、２００・・・緊急通報発信部、２０１・・・ＧＰＳ受信部、２０２・・・復号鍵格納部、２０３・・・復号鍵取得部、２０４・・・無線通信部、２０５・・・データ復号部、２０６・・・通信処理部、２０７・・・入力装置、２０８・・・出力装置、２０９・・・アンテナ、２１０・・・アンテナ、３０・・・基地局、３１・・・無線通信部、３２・・・データ中継部、３３・・・第２の配信部、３４・・・第１の配信部、３５・・・基地局情報格納部、３６・・・アンテナ、３７・・・配信部、３８・・・緊急通報転送部、４０・・・位置情報作成装置、４１・・・メッセージ格納部、４２・・・位置情報作成部、４３・・・地図情報格納部、５０・・・ブロードキャスト管理装置、５１・・・鍵情報提供部、５２・・・鍵情報格納部
【図１】
2010193234.tif 000003
【図２】
2010193234.tif 000004
【図３】
2010193234.tif 000005
【図４】
2010193234.tif 000006
【図５】
2010193234.tif 000007
【図６】
2010193234.tif 000008
【図７】
2010193234.tif 000009
【図８】
2010193234.tif 000010
【図９】
2010193234.tif 000011
【図１０】
2010193234.tif 000012
【図１１】
2010193234.tif 000013
【図１２】
2010193234.tif 000014
【図１３】
2010193234.tif 000015
【図１４】
2010193234.tif 000016
【図１５】
2010193234.tif 000017
【図１６】
2010193234.tif 000018
【図１７】
2010193234.tif 000019
【図１８】
2010193234.tif 000020